(57)【要約】【課題】現代医学に於いてダニ（疥癬虫）の壊滅は非常に困難を極めダニと薬の競争であり農薬入りの薬まで発売されている現状である、又アトッピー性皮膚炎は３人に１人と言う迄に増えているこれもダニの存在が非常に大きく締める、人間の皮膚は薬で治療するとして、ダニの住み難い環境を如何に作るかが課題。【解決手段】ダニの住家である乾燥寝具２５．と蒸気発生器２４．と蒸気吸引器３０．を電子レンジ使用可能な袋１５．に入れ、それを電子レンジにかけ中の空気、蒸気を間歇的に抜き２９．蒸気の熱と圧力で一気に寝具に浸透させダニと雑菌を殺傷する、又寝具は即座に使用可能、ダニの住み難い環境を作る簡単に施行できる。痒くて掻けないと言う事は人間に於いては非常に耐え難い苦しみなのである、この方々を観るに早くダニ電子レンジの普及が望まれる、アトピー性皮膚炎患者のダニ及び各病院、家庭介護、に於ける疥癬虫壊滅に於いて普及されるであろう。【選択図】　図１３ID=005015 HE=054 WI=154 LX=0000 LY=0000>
2004016804.tif 000002
【特許請求の範囲】
【請求項１】
寝具と蒸気発生器と蒸気吸引器を電子レンジ使用可能系統の袋に入れ中の空気を吸引して電子レンジにかけ蒸気の熱と圧力を発生させこれを間歇的に繰り返しダニ、又雑菌を一気に殺菌駆除する電子レンジ。電子レンジは海外旅行鞄の如く携帯出来る構造、電子発生部と電気機器分離型、又は一体型とする。
【請求項２】
寝具と同時に入れる蒸気発生器及び蒸気吸引ボックス又は網。大きさを設定すれば普通電子レンジにも使用可能。
【発明の詳細な説明】
【０００１】
電子的にダニの住家（枕、シーツ、布団カバー、寝間着等）を完全蒸気熱圧消毒する事、又即寝具は使用可能な事。。
【０００２】
現代医学に於いてダニ（疹癬虫等）の絶滅は困難であるダニと薬の追っかけっこであり最近は農薬入りの薬まで出ているが今だ解決されていない。又アトピー性皮膚炎もダニの比重が大きい。
【０００３】
寝具のダニ、雑菌を電子レンジの蒸気熱、圧により完全死滅させる事である。その為には電子レンジは寝具を入れる事に依りある程度の容積が必要である、先ず大きさを海外旅行鞄程度にし携帯出来る形とする、寝具を入れる電子発生部分と電気機器部分を分断するか又は一体型とする、大きさは適宜作製できる。一般の電子レンジにも電子発生部を接続出来る様にすれば尚普及するであろう。
最初に寝具を入れる袋は電子レンジに使用できる材質、ポリエチレン、ポリプロピリン、ポリ塩化ビニリデン系等とする、又蒸気発生器及び蒸気吸引ボックスも同じである。
寝具を湿らす目安は布タオル１枚６０グラムとすると水１０ｃｃ程度で良い現実には強で３分程度袋から蒸気が吹き出す事は殆どない、水が多ければ吹き出す効果は出るが濡れて居て干さなくては成らない。
そこで乾燥したままの寝具と一緒に蒸気発生器、蒸気吸引ボックスを袋に入れ蒸気満帆、蒸気吸引を間歇的に適宜繰り返せば適当な所で停止すれば殆ど乾いた状態で寝具のダニ、雑菌を絶滅する事が出来る。
【０００４】
寝具を袋に入れ掃除機で空気を出来るだけ吸引し抜く、この掃除機を小型吸引器組込型にすれば尚簡単ある、この事により蒸気発生と共に寝具の隅々迄、熱圧蒸気が一気に浸透しダニ、雑菌を死滅させる、これを間歇的に施行すれば完璧。
（図面の明細な説明）
【図１】左図は鞄の開放斜視図である、１．は海外旅行鞄型電子発生部である４．５．は電子発生電極、３．は蒸気室外放出窓（網、ガラス）、２．は電子レンジ電気機器、６．は電気機器２と電子発生部１．との連結電線、一体型の場合は不要、７．はトッテ、８．は携帯運搬用車輪、右図はダニ電子レンジの立位正面図。９．は吸引した袋の空気口止め口１６．を挟む挟み棒、上下互いに約１センチ間隔を取る、勿論蒸気吸引器３４．は組込型である。
一般の電子レンジに接続型は電子発生部１．鞄だけである。
【図２】例えばシーツ１０．に水噴霧器１１．で噴霧水１２．シーツを両面湿らす、１３．を矢印の方向適宜に畳む１４．乾燥寝具６０グラムに対して水約１０ｃｃ。
【図３】Ｉ，シーツ１４．を電子レンジ使用可能な袋１５．に入れる。
ＩＩ，袋の中の空気を掃除機１７．で一杯吸引し空気止め口１６．を締める。
【図４】Ｉ，空気を抜いた袋１５．を鞄１．の中に空気止め口１６．を挟み棒９．に挟みながら蓋をする、挟み棒９．の互いの間隔は約１センチ。
ＩＩ，理論ではレンジをかけると蒸気１８．が発生し袋１５．が膨らむ、水がが多いと袋が一杯に圧が掛かると空気止め口１６．が圧で外れ蒸気１９．は室外に放出されるこれは安全装置でもある。
【図５】鞄の室内では袋１５．が蒸気圧で膨らみシーツ１４．に熱圧蒸気が浸透する理屈である、水分が多いと圧が耐え切らなくなり袋が挟み棒９．で遮られ空気止め口１６．が９．の間隔に依り押し開き室外放出窓３．を透し蒸気１９．は室外へと放出される。
【図６】蒸気発生器の蒸気噴出ピンの形状である円筒型２０．で縦に円状の穴２１．が貫通している横にも円状の穴２２．が貫通している。
【図７】電子レンジをかけると水箱２４．の中の水２３．が沸き蒸気１８．が発生する蒸気は蒸気噴出ピン２０．を通り各円筒口より噴出１９．する。
【図８】乾燥した寝具２５．と蒸気発生器２０．２４．を袋１５に一緒に入れ掃除機１７．で空気を吸引した図である乾燥した寝具２５．は蒸気噴出ピンにピッタリと密着する。
【図９】電子レンジをかけると蒸気が発生１８．蒸気噴出ピン２０．より噴出する、乾燥した寝具２５．が膨らみ各ピンに均等に乗る形となる、又均等に蒸気が下側から一気に上方へと浸透する事になる、水の量は寝具６０グラムに対し約１０ｃｃ。
【図１０】蒸気発生器の全体図である小型用、大型用と作製可能、蒸気噴出ピン２０．の大きさは約、長さ１．５センチ、直径０．８センチ、ピン間隔６センチ、水箱の深さ１センチ、水箱の大きさは適宜、小さくすれば普通の電子レンジにも使用可能。
【図１１】蒸気吸引ボックス３０．図である、袋１５．の中に発生した蒸気１８．を間歇的にボックス穴３１．より吸引口３２を透し吸引２９．する網型でも良い、大きさは目的寝具の大きさで適宜変える。
【図１２】吸引口３２の断面図である、Ｉは空気を吸引進行中の空気返しベン開放図ベン３４．とベン止め３５．　２９．は吸引方向、　３３．はホース設置型吸引器へと続く、ＩＩは吸引停止時の空気返しベン空気閉鎖図である。吸引器設置型の場合は吸引しながらかけるのであまり必要はない。
【図１３】蒸気発生器２４．と蒸気吸引ボックス３０．を併用した理論図である吸引２９．は間歇的で例えば３分間に２〜３回等、蒸気発生器の水が完全に無くなった時の電子レンジの安全の為に他にコップ半分程の水を外側に確保しておくと最も良い、蒸気発生器内の水の量は寝具６０グラムに対し間歇的に使用するので電子レンジの為にも残る程度約２０グラム程度で良い。
【図面の簡単な説明】
【図１】ダニ電子レンジ１．の開放斜視図と立位正面図である。普通電子レンジ接続型にしても良し、電子発生部分離型、一体型でも良い。
【図２】Ｉはシーツ１０．に水噴霧図とＩＩは折り畳み１４．図である。
【図３】Ｉは折り畳み湿らせたシーツ１４．を電子レンジに使用可能な袋１５．に入れた図、ＩＩはＩから空気を掃除機１７．で一杯吸い込んだ図である、抜いたら空気止め口１６．を締める。
【図４】Ｉは空気を吸引した袋１５．をダニ電子レンジ１．に納めた図である、ＩＩはＩの電子レンジを作動した理論図である。
【図５】ダニ電子レンジ１．の実際に使用した図である。
【図６】蒸気発生器の蒸気噴出ピンの上正面図、側面図、左側面図である。
【図７】蒸気噴出ピンの電子レンジ使用時の蒸気噴出図の側面図である。
【図８】蒸気発生器と乾燥寝具を袋にセットし掃除機で空気を吸引した図の側面図である。
【図９】図８、を電子レンジにかけた蒸気発生図の側面図である。
【図１０】蒸気発生器の全体図。上正面図、側面図、Ａ断面図一部分である。
【図１１】蒸気吸引ボックスの下正面図と側面図である、網にしても良い。
【図１２】蒸気吸引ボックスの吸引口の断面図である
【図１３】蒸気発生器と蒸気吸引ボックスと寝具を袋に入れ電子レンジにかけ蒸気発生、蒸気間歇吸引理論図である。
【符号の説明】
１　　海外旅行鞄型　電子レンジ電子発生部鞄。
２　　電子レンジの電気機器。
３　　蒸気発生放出窓（ガラス、網）。
４　　電子電極。
５　　対面電子電極。
６　　連結電線。
７　　トッテ。
８　　携帯運搬用車輪。
９　　袋の挟み棒。
１０　寝具仮のシーツ。
１１　水噴霧器。
１２　噴霧水。
１３　湿らしたシーツ。
１４　湿らして折り畳みシーツ。
１５　電子レンジ用袋。
１６　空気止め口。
１７　掃除機。
１８　熱蒸気発生。
１９　蒸気噴出。
２０　蒸気噴出ピン。
２１　蒸気噴出ピンの円形縦穴。
２２　蒸気噴出ピンの円形横穴。
２３　水。
２４　水箱（蒸気発生器）。
２５　乾燥寝具。
２６　水箱天板の支え柱。
２７　水箱底板。
２８　水箱天板（穴開き）。
２９　蒸気吸引方向。
３０　蒸気吸引ボックス。
３１　蒸気吸引穴。
３２　蒸気吸引口。
３３　蒸気吸引ボックスから空気吸引器迄のホース。
３４　空気止め返しベン開放図。
３５　返しベン止め。
３６　空気止め返しベン閉鎖図。
３７　小形設置型吸引器。
【図１】
2004016804.tif 000003
【図２】
2004016804.tif 000004
【図３】
2004016804.tif 000005
【図４】
2004016804.tif 000006
【図５】
2004016804.tif 000007
【図６】
2004016804.tif 000008
【図７】
2004016804.tif 000009
【図８】
2004016804.tif 000010
【図９】
2004016804.tif 000011
【図１０】
2004016804.tif 000012
【図１１】
2004016804.tif 000013
【図１２】
2004016804.tif 000014
【図１３】
2004016804.tif 000015